(57)【特許請求の範囲】
【請求項１】
遊技領域を形成する遊技盤に装着される取り付けベースを備えるとともに、該取り付けベースの所定位置で支持軸に軸支され支持軸周りに揺動可能な可動体を有する可動装飾装置を備える遊技機であって、
可動装飾装置は、可動体の少なくとも一部を遊技領域内側の所定位置に定められる進出位置と該進出位置よりも遊技領域外方向の所定位置に定められる収納位置との間で支持軸周りに揺動可能に可動体を軸支しているとともに、可動体の所定位置に係合片を設けており、且つ、ギアを備えるとともに該ギアの所定位置にギアの回転に応じて可動体の係合片に対して係合解除可能な被係合片を備えており、
複数の弾性部材が、それぞれ該弾性部材の一方端側を可動体の互いに異なる所定位置に固定されるとともに弾性部材の他方端側を取り付けベースの互いに異なる所定位置に固定されている、自然長を互いに異にしているコイルバネであり、自然長の短い弾性部材ほど、可動体における弾性部材の一方端側の固定位置が、支持軸に近い位置となっており、
ギアの回転に応じて、係合片と被係合片とが係合する場合には、複数の弾性部材がいずれも伸びた状態とされ、且つ、可動体が進出位置よりも収納位置側に位置しつつ弾性部材の縮み方向に付勢されるとともに、該状態において、複数の弾性部材は、弾性部材の伸び量を巻き数で除して得られる１巻き当りのコイルバネの伸び量の値を互いに揃えており、
係合片と被係合片との係合が解除された場合には、弾性部材が縮むとともに可動体が収納位置から進出位置まで支持軸周りに回転する、ように構成してなる遊技機。
【請求項２】
可動体の回転方向に沿った所定位置に、可動体が収納位置から進出位置に回転した場合に可動体に当接して可動体の揺動範囲を規制する規制部が設けられており、
規制部には、可動体との当接面の少なくとも一部に緩衝部材が設けられている、請求項１に記載の遊技機。
【請求項３】
ギアには該ギアの回転に応じて回転する被検出部が設けられており、
取り付けベースには、ギアの回転角度に応じてギアの被検出部を検出するように検出手段が設けられている、請求項１又は２記載の遊技機。
【発明の詳細な説明】
【技術分野】
【０００１】
本発明は、可動装飾装置を備える遊技機に関する。
【背景技術】
【０００２】
パチンコ機などの遊技機には、遊技の演出を高めるため、図柄組み合わせゲームを表示する図柄表示装置の周囲等の所定位置に、様々な形状や構造を有する装飾体等を備えたセンター飾りや左右飾りなどの装飾装置が取り付けられている。これらの装飾装置は、遊技の演出をより円滑に且つよりインパクトのあるものとすることができるものであって、遊技者の遊技機への興味をより高める効果を得ることができるようなものが要請されている。そこで、装飾装置として、遊技盤に対して揺動可能に構成された可動体を備えた可動装飾装置が提案されている。可動装飾装置は、必要に応じて遊技機の遊技領域内側に可動体を出現させるように構成することで、遊技者にインパクトのある遊技の演出を実現しようとするものである。
【０００３】
このような可動装飾装置の一例として、例えば、特許文献１には、上下動する演出用ユニットを有するセンター飾りが提案されている。このセンター飾りは、特定の遊技状態の終了時に、バネの復元力を用いて収納位置に速やかに収納されるように構成される。すなわち、このセンター飾りは、特定の遊技状態となった場合の演出時に遊技領域内側の所定位置（進出位置）まで演出用ユニットを進出させることでこれを遊技者に視認可能となし、それ以外の遊技状態では収納位置に演出用ユニットを速やかに収納させるように構成される。
【先行技術文献】
【特許文献】
【０００４】
【特許文献１】特開２００６−２２３６５９号公報
【発明の概要】
【発明が解決しようとする課題】
【０００５】
しかしながら、特許文献１は、遊技の演出中に遊技者に視認可能な位置にあるセンター飾りの演出用ユニットを遊技の演出の終了時に収納位置へと収納する場合に、バネの復元力が作用して、演出用ユニットが収納位置へと移動しようとする動作が補助されるものである。このため、遊技演出の開始時には、逆に、バネの復元力に抗って演出用ユニットを遊技者に視認可能な進出位置まで動かすことが必要となる。すなわち、このセンター飾りでは、速やかに演出用ユニットを進出位置まで動かすことが困難となる虞が極めて大きいという問題が存在しているのである。遊技の演出をよりインパクトのあるものとするために、可動装飾装置には必要に応じてより速やかに進出位置まで動くように可動体を構成していることが求められることからしてみても、このような問題は重大である。
【０００６】
本発明は、必要に応じてより速やかに進出位置まで動くことの可能な可動体を有する可動装飾装置を備えた遊技機を提供すること、を目的とする。
【課題を解決するための手段】
【０００７】
本発明は、
（１）遊技領域を形成する遊技盤に装着される取り付けベースを備えるとともに、該取り付けベースの所定位置で支持軸に軸支され支持軸周りに揺動可能な可動体を有する可動装飾装置を備える遊技機であって、可動装飾装置は、可動体の少なくとも一部を遊技領域内側の所定位置に定められる進出位置と該進出位置よりも遊技領域外方向の所定位置に定められる収納位置との間で支持軸周りに揺動可能に可動体を軸支しているとともに、可動体の所定位置に係合片を設けており、且つ、ギアを備えるとともに該ギアの所定位置にギアの回転に応じて可動体の係合片に対して係合解除可能な被係合片を備えており、複数の弾性部材が、それぞれ該弾性部材の一方端側を可動体の互いに異なる所定位置に固定されるとともに弾性部材の他方端側を取り付けベースの互いに異なる所定位置に固定されている、自然長を互いに異にしているコイルバネであり、自然長の短い弾性部材ほど、可動体における弾性部材の一方端側の固定位置が、支持軸に近い位置となっており、ギアの回転に応じて、係合片と被係合片とが係合する場合には、複数の弾性部材がいずれも伸びた状態とされ、且つ、可動体が進出位置よりも収納位置側に位置しつつ弾性部材の縮み方向に付勢されるとともに、該状態において、複数の弾性部材は、弾性部材の伸び量を巻き数で除して得られる１巻き当りのコイルバネの伸び量の値を互いに揃えており、係合片と被係合片との係合が解除された場合には、弾性部材が縮むとともに可動体が収納位置から進出位置まで支持軸周りに回転する、ように構成してなる遊技機、
（２）可動体の回転方向に沿った所定位置に、可動体が収納位置から進出位置に回転した場合に可動体に当接して可動体の揺動範囲を規制する規制部が設けられており、
規制部には、可動体との当接面の少なくとも一部に緩衝部材が設けられている、上記（１）に記載の遊技機、
（３）ギアには該ギアの回転に応じて回転する被検出部が設けられており、取り付けベースには、ギアの回転角度に応じてギアの被検出部を検出するように検出手段が設けられている、上記（１）又は（２）記載の遊技機、
を要旨とする。
【０００８】
また、本発明は、（４）弾性部材は、コイルバネであり、長手方向を遊技盤面の上下方向に対して斜めに向けて固定されている、上記（１）から（３）のいずれかに記載の遊技機、
（５）可動体は、支持軸に軸支されて支持軸から所定方向に延びるアームと、装飾ベース部材に回転可能に軸支された回転装飾部材を備えるとともに前記アームの先端に装着された装飾体とを備え、可動体のアームは遊技領域内側の所定位置に定められる進出位置と該進出位置よりも遊技領域外方向の所定位置に定められる収納位置との間で支持軸周りに揺動可能に軸支され、アームの所定位置に係合片が設けられており、
弾性部材が、該弾性部材の一方端側をアームの支持端と該アームの先端の間の所定位置に固定されるとともに弾性部材の他方端側を取り付けベースの所定位置に固定されている、上記（１）から（４）のいずれかに記載の遊技機、とされていてもよい。
【発明の効果】
【０００９】
本発明によれば、必要に応じてより速やかに進出位置まで動くことの可能な可動体を有する可動装飾装置を備えた遊技機を得ることができる。
【図面の簡単な説明】
【００１０】
【図１】本発明の遊技機の実施例の１つを示す概略正面図である。
【図２】本発明の遊技機に取り付けられる遊技盤の実施例の１つを示す概略正面図である。
【図３】本発明の遊技機に取り付けられる遊技盤の実施例の１つを示す概略分解斜視図である。
【図４】図４Ａは、本発明の遊技機に取り付けられる可動装飾装置の実施例の１つを示す概略前方斜視図である。図４Ｂは、本発明の遊技機に取り付けられる可動装飾装置の実施例の１つを示す概略後方斜視図である。
【図５】図５Ａから図５Ｃは、可動装飾装置において、取り付けベースのギアの回転に伴う可動体の回転揺動運動の状態について可動装飾装置の背面側から見た場合の状態を模式的に説明するための概略背面模式説明図であり、より詳しくは、図５Ａは、可動体が進出位置にある場合の可動装飾装置の一部を模式的に示す概略背面模式説明図であり、図５Ｂは、可動体が進出位置から収納位置に向かおうとする場合の可動装飾装置の一部を模式的に示す概略背面模式説明図であり、図５Ｃは、可動体が収納位置にある場合の可動装飾装置の一部を模式的に示す概略背面模式説明図である。
【図６】図６Ａから図６Ｃは、可動装飾装置において、取り付けベースのギアの回転に伴う可動体の回転揺動運動について可動装飾装置の正面側から見た場合の状態を模式的に説明するための概略正面模式説明図であり、より詳しくは、図６Ａは、可動体が進出位置にある場合の可動装飾装置の一部を模式的に示す概略正面模式説明図であり、図６Ｂは、可動体が進出位置から収納位置に向かおうとする場合の可動装飾装置の一部を模式的に示す概略正面模式説明図であり、図６Ｃは、可動体が収納位置にある場合の可動装飾装置の一部を模式的に示す概略正面模式説明図である。
【図７】遊技盤の概略正面模式図であり、可動体が進出位置にある場合における可動体の位置の例を模式的に示す概略正面模式図である。
【図８】可動装飾装置における可動体のアームの回転軸付近の構成を一部省略して拡大した図面であり、アームに設けられた係合片とアーム駆動ギアに設けられた被係合片との位置関係を模式的に説明するための模式説明図である。
【図９】可動装飾装置の一部を分解した状態を模式的に示す概略分解斜視模式図である。
【図１０】可動装飾装置を枠部材に取り付けた状態を模式的に示す概略正面模式図である。
【図１１】装飾体の一部を分解した状態を模式的に示す概略分解斜視模式図である。
【図１２】可動装飾装置に設置可能なカバー体を説明するための図面であり、可動装飾装置を部分的に分解した状態を模式的に示す概略分解斜視模式図である。
【図１３】可動装飾装置に設置可能な検出手段及び被検出部を模式的に説明するための模式説明図であり、可動装飾装置をやや斜め後方から見た状態を模式的に示す概略斜視模式説明図である。
【図１４】図１４Ａ、図１４Ｂはいずれも、可動装飾装置の可動体に配線を通じた場合の一例を説明するための図面であり、図１４Ａは、可動装飾装置の概略正面模式図であり、図１４Ｂは、可動装飾装置の可動体を下側から見た場合の可動体の状態を概略的に模式的に示す概略底面模式図である。
【発明を実施するための形態】
【００１１】
本発明の実施形態の１つを図面に基づき詳細に説明する。
【００１２】
本明細書において、図１、図３等に示すように、遊技機１の前側、後側は、遊技機１を正面から見た場合（図１参照）のそれぞれ正面側（前面側）、裏面側（後面側）（背面側）を示し、遊技機１の上下左右側は、遊技機１を正面に見てそれぞれ上側、下側、左側及び右側を示すものとする。
【００１３】
（遊技機１）
遊技機１は、縦長方形の中枠と外枠を備えるとともに、中枠を外枠に開口前面側に開閉自在に収容しており、中枠は、その内側に遊技盤保持空間を形成するとともに遊技盤保持空間に遊技盤３を保持する。
【００１４】
中枠の前面側には、前後方向に開口した前枠４が装着され、その前枠４の直下位置に下球皿６、打球発射装置７等が装着されている。中枠の後面側には、保護カバーが、中枠に開閉自在に装着されている。保護カバーは、遊技盤３の後方側に配置される裏ユニットや図柄表示装置ならびに遊技盤３を遊技機１裏面側から覆う。
【００１５】
前枠４には、その開口位置後方側にガラス材が取り付けられて窓部が形成されており、遊技盤３を装着した中枠に対して前枠４が装着されると、ガラス材を取り付けられた前枠４は、遊技盤３を視認可能に覆って、遊技盤３前面を保護する。また、前枠４をなす枠体前面側の下部位置には、意匠を施された上球皿５が設けられて、前枠４の枠体とともに中枠に対して横開き状態で開閉可能に組み付け整合されている。
【００１６】
（遊技盤３）
遊技盤３は、中枠の遊技盤保持空間の形状に整合するような形状に形成されており、すなわち、図２に示すように、略正面正方形状の外形輪郭形状を呈している。遊技盤３は、遊技板１０を有し、遊技板１０の前面に、打球発射装置７に連なり遊技球を案内する略円形状の案内レール１１が設けられている。遊技板１０の前面における案内レール１１で囲まれた所定の領域が遊技領域（図２において、遊技領域Ｐ）を形成する。
【００１７】
遊技板１０には、図１，図２，図３に示すように、遊技盤３の遊技領域Ｐの中央部に対応する部分に、大口の開口部９が形成されている。遊技機１においては、この開口部９に対し、複数種類の図柄を変動・停止表示可能な図柄表示装置１９の画面１９ａが臨むようにセンター役物２０が配置される。なお、図１，図２では、便宜上、図柄表示装置の表示が省略されている。
【００１８】
また、遊技盤３は、遊技板１０の前面における遊技盤３の遊技領域Ｐ内に対応する領域内にあって開口部９の周囲の所定位置に、普通入賞装置１２、障害釘１３、前面装飾部材１４などといった各種の遊技部材が適宜配置されている。前面装飾部材１４は、意匠を施した各種部材などを適宜組み合わせて構成されてよいほか、ランプやＬＥＤ等の発光体などで発光可能に構成されてよい。なお、前面装飾部材１４が発光可能に構成される場合、前面装飾部材１４の所定位置に光透過性を有する部分を形成するとともに、その部分の後方に発光体が位置するように、図３に示すように発光回路基板８８ａ、８８ｂ、８８ｃが、取り付けられる。発光回路基板８８ａ、８８ｂ、８８ｃは、発光体を適宜位置に搭載されて発光体に対して通電可能に電気回路を形成した基板である。
【００１９】
遊技盤３は、遊技領域Ｐ内の位置であって開口部９の下方側には、可変入賞装置である始動入賞装置１５と、開閉板１６によって入賞口の開閉可能なアタッカー装置１７とが、始動入賞装置１５を上側、アタッカー装置１７を下側にして上下方向に並んで遊技板１０に設けられている。
【００２０】
（センター役物２０）
遊技盤３は、図３に示すように、遊技板１０の裏面側に、可動装飾装置１８や図柄表示装置１９を備えたセンター役物２０を設けている。ただし、センター役物２０は、遊技盤３前面側から遊技領域Ｐを見た場合に図柄表示装置１９の画面１９ａが開口部９から視認可能な位置となるように、遊技板１０の後方側の所定の位置に位置決めされて設けられる。
【００２１】
センター役物２０は、開口２１を有する枠部材２２を備えており、枠部材２２の所定位置に飾り部材２３ａ、２３ｂ、２３ｃや、可動装飾装置１８を取り付けられている。また、センター役物２０の後面側から図柄表示装置１９が取り付けられており、センター役物２０を前面から見た場合に、図柄表示装置１９の画面１９ａがセンター役物２０の開口２１に臨んでいる。なお、図柄表示装置１９は、液晶表示装置等を適宜選択可能である。
【００２２】
（可動装飾装置１８）
可動装飾装置１８は、遊技機１の遊技盤３を構成するセンター役物２０における所定位置に取り付けられる。可動装飾装置１８の取り付け位置は、適宜選択可能である。例えば、図１０に例示するように、可動装飾装置１８は、遊技盤３の正面から見てセンター役物２０の左下側に位置するように枠部材２２に取り付けられる。
【００２３】
可動装飾装置１８は、図４、図９等に示すように、枠部材２２に取り付けられる取り付けベース２４と、取り付けベース２４に対して被支持部３５にて揺動回転可能に軸支された可動体２７とを備えている。ここに、図３、図１３等に示すように、取り付けベース２４は、遊技盤３を構成するセンター役物２０における枠部材２２の位置に取り付けられていることとなり、結局、遊技盤３に取り付けられていることとなる。
【００２４】
（取り付けベース２４）
取り付けベース２４は、枠部材２２への取り付け位置の形状に整合する形状に形成されベースケーシング片２５と、ベースケーシング片２５と前後方向に組み合わせ可能な外観輪郭形状を呈してベースケーシング片２５に前方から向かい合わせに配置される前ケーシング片２６を備えるとともに、駆動機構２９を形成する駆動ユニット２８を備えている。
【００２５】
ベースケーシング片２５は、図９に示すように、後ケーシング片３３とこの後ケーシング片３３に取り付けられる中ケーシング片３４とを備えて構成されており、後ケーシング片３３の所定位置に可動体２７を構成する後述のアーム３０の被支持部３５に嵌合する支持軸部３１を形成しているとともに、後ケーシング片３３の支持軸部３１の周囲の所定位置に中ケーシング片３４を取り付けられて後ケーシング片３３と中ケーシング片３４で挟まれた空間部分を形成し、その所定の空間部分に、駆動ユニット２８を構成するギア収納部３２を形成している。図４Ａ、図４Ｂの可動装飾装置１８の例では、図９に示すように、支持軸部３１の上側から斜め上側にかけて形成される所定の空間部分に、駆動ユニット２８を構成するギア収納部３２が形成される。
【００２６】
さらに、取り付けベース２４において、ベースケーシング片２５には、図９に示すように、中ケーシング片３４の前面側で、支持軸部３１及びギア収納部３２から離れた所定位置に、弾性部材４１（４１ａ、４１ｂ）の一端部を固定する係止突起３６が設けられている。また、ベースケーシング片２５の係止突起３６は、図６に示すように、アーム３０の位置が収納位置である場合（図６Ｃ）におけるアーム３０の係止突起３７との離間距離（Ｌ１）よりも、アーム３０の位置が進出位置である場合（図６Ａ）におけるアーム３０の係止突起３７との離間距離（Ｌ２）のほうが短くなるように、位置決めされる。なお、図６Ａと図６Ｃについては、図６Ｂも含めて、可動体２７と駆動ユニット２８を構成する各種ギアやモーター４０の位置関係を示す図面であり、また、これらの図面では、説明の便宜上、後ケーシング片３３や前ケーシング片２６やカバー部材６３等の記載を省略している。
【００２７】
係止突起３６の数は、弾性部材４１の設置数に応じて適宜選択可能であるが、図４等の例では２つである。係止突起３６の形状は、適宜設定可能であるが、アーム３０の回動に応じて係止突起３６を軸とした弾性部材４１の回転を容易とする点で、円柱状であることが好ましい。このことは、後述するアーム３０に設けられる係止突起３７についても同様である。
【００２８】
駆動ユニット２８は、駆動機構２９を構成するギアとして所定の位置に取り付けられる各種ギアと、モーター４０とを備えるとともに、各種ギアをギア収納部３２に収納して、モーター４０を取り付けられてなる単位構造部分である。その単位構造部分を形成する各種ギアとモーター４０の配置で実現される機構が駆動機構２９をなしている。
【００２９】
駆動機構２９を構成する各種ギアについては、図５Ａ，図５Ｂ、図５Ｃや図９等に示すように、アーム３０を揺動回転させるアーム駆動ギア４２とこれに噛み合う第１伝達ギア３８と第１伝達ギア３８に噛み合う第２伝達ギア３９が所定位置に取り付けられる。アーム駆動ギア４２及び第１伝達ギア３８は、ギア収納部３２に形成されたアーム駆動ギア支持部４３と第１伝達ギア支持部４４に軸支されて、回転可能にギア収納部３２に収納される。なお、図５Ａ，図５Ｂ、図５Ｃについては、図６と同様に、可動体２７と駆動ユニット２８を構成する各種ギアやモーター４０の位置関係を示す図面であり、また、これらの図面では、説明の便宜上、後ケーシング片３３や前ケーシング片２６やカバー部材６３等の記載を省略している。
【００３０】
モーター４０は、一方面側をベースケーシング片２５の中ケーシング片３４の前面に向き合わせて配置されて固定されている。また、中ケーシング片３４には、通孔４５が形成されており、その通孔４５の位置に対してモーター４０において回転運動可能なシャフトが位置あわせされ、通孔４５をモーター４０のシャフトが貫通するようにモーター４０が取り付けられる。シャフトは、その先端を中ケーシング片３４の面のうち後ケーシング片３３との向き合い面側に突き出しているとともに、第２伝達ギア３９に連結されている。なお、第１伝達ギア３８と第２伝達ギア３９とが噛み合うような位置にモーター４０の固定される位置が位置決めされ、そのモーター４０の固定される位置に応じてベースケーシング片２５において通孔４５の位置が定められる。
【００３１】
ここで、遊技機１の可動装飾装置１８において、ギアの所定位置には、ギアの回転に応じて可動体２７の係合片４７に対して係合解除可能な被係合片４６が備えられている。すなわち図９や図５Ａ、図５Ｂ、図５Ｃ等に示すように、アーム駆動ギア４２の所定位置に被係合片４６が備えられる。アーム駆動ギア４２は、第１伝達ギア３８に噛み合うギア歯を形成しているギア部４８と、ギア部４８に当接するフランジ部４９を備えており、中心にギア部４８とフランジ部４９を貫通するギア孔５０を形成して構成されている、アーム駆動ギア４２は、一方面側、すなわちギア部４８側をベースケーシング片２５の後ケーシング片３３に向き合わせつつ、ギア孔５０を、ギア収納部３２内に形成されたアーム駆動ギア支持部４３に嵌め込まれており、他方面側、すなわちフランジ部４９側から固定材５１を取り付けられている。固定材５１は、アーム駆動ギア４２がアーム駆動ギア支持部４３から脱離することを抑制するものである。アーム駆動ギア４２がアーム駆動ギア支持部４３に取り付けられたとき、アーム駆動ギア４２のフランジ部４９の位置は、ギア部４８よりもギア収納部３２から遠い位置となる。フランジ部４９は、アーム駆動ギア４２の回転軸Ｇｘの位置に中心を持ちギア部４８の回転面に沿った円状の外周端を有して形成されていることがアーム駆動ギア４２の回転安定性の点で好ましい。そして、アーム駆動ギア４２のフランジ部４９には、ギア部４８との当接側とは逆側に、被係合片４６が突設されている。また、被係合片４６は、係合片４７との接触面がアーム駆動ギア４２の回転軸Ｇｘ上から外れた位置となるように、位置決めされて形成されている。すると、フランジ部４９に被係合片４６の設置可能な領域をより広げることができるようにする点で、フランジ部４９の大きさは、その外周端がギア部４８のギア歯の先端よりも外側に位置している程度であることが好ましいこととなる。被係合片４６は、その周面のうちアーム駆動ギア４２の回転半径方向に沿った外側方向を向いた部分を、フランジ部４９の外周縁に沿った形状となすとともにそのフランジ部４９の外周縁よりもやや内側に位置させて形成されている。被係合片４６は、係合片４７に対してスムーズな係合解除をより効果的に実現する点で、楕円柱状のほか、その側周面を面取りされた形状（例えば、面取り四角柱状）等に形成されていることが好ましい。
【００３２】
上記したように各種ギアが所定位置に配置されるとともにモーター４０が取り付けられて中ケーシング片３４と後ケーシング片３３とが組み合わされると、ベースケーシング片２５に駆動ユニット２８を形成した状態が形成され、取り付けベース２４に駆動機構２９が形成されることとなる。すなわち、モーター４０のシャフトの回転に伴って第２伝達ギア３９が回転し、この回転力が第１伝達ギア３８を介して、アーム駆動ギア４２に伝えられるという機構が実現されて、アーム駆動ギア４２の回転が実現されることとなる。なお、このときアーム駆動ギア４２の被係合片４６はアーム駆動ギア４２の回転軸Ｇｘを中心とした回動運動を行うこととなり、後述及び図５Ａ、図５Ｂ、図５Ｃ，図６Ａ、図６Ｂ、図６Ｃ等に示すように、この回動運動に応じて被係合片４６の位置が変位し、その変位に応じて被係合片４６と係合片４７との係合解除が行われる。
【００３３】
（規制壁５２）
可動装飾装置１８には、図６Ａ、図９等に示すように、可動体２７が収納位置から進出位置に向かって回転するときの回転方向に沿って進出位置側の所定位置に、可動体２７が収納位置から進出位置に回転した場合に可動体２７に当接して可動体２７の回転揺動範囲を規制する規制部５３が設けられていることが好ましい。これは、例えば、規制部５３として規制壁５２が取り付けベース２４に設けられることで実現できる。より具体的に、図９等に示すように、規制壁５２は、取り付けベース２４のベースケーシング片２５において、中ケーシング片３４の所定位置に前方突設された所定の高さの突出構造部分として構成される。なお、規制壁５２の位置と高さは、可動体２７のアーム３０が進出位置まで回転した際にアーム３０に接触するように定められる。規制壁５２は、可動体２７が収納位置から進出位置に向かって回転した場合に可動体２７に当接して可動体２７が進出位置以上に収納位置から離れる方向に回転してしまうことを規制することで可動体２７の揺動範囲を規制する。なお、この場合、可動体２７の進出位置は、可動体２７が規制壁５２に当接したときの位置となる。
【００３４】
また、規制部５３には、可動体２７との当接面の少なくとも一部に緩衝部材５４が設けられていることが更に好ましい。具体的には、図９に示すように、規制部５３の規制壁５２においてアーム３０と当接する領域の少なくとも一部に緩衝部材５４が設けられる。緩衝部材５４としては、ゴム材料などといった緩衝性を有する材料を適宜採用可能である。
【００３５】
（検出手段５５と被検出部５６）
駆動機構２９には、アーム駆動ギア４２の回転角度を検出可能に検出手段５５と被検出部５６とが設けられていてもよい。例えば、図９、図１３等に示すように、アーム駆動ギア４２において、ギア部４８側に被検出体５７を設けて被検出部５６を形成する。なお、図１３では、説明の便宜上、後ケーシング片３３や前ケーシング片２６やカバー部材６３等の記載を省略している。図９に示すように、ベースケーシング片２５の後ケーシング片３３には、ギア収納部３２のアーム駆動ギア支持部４３の周囲所定領域に開口５８が形成されており、その開口５８の位置に、検出手段５５を検出ベース５９に設けた検出ユニット６０が後ケーシング片３３の後面側から配置される。ところで、被検出部５６をなす被検出体５７は、開口した円筒状に形成されており、図１３等に示すように、側周面の一部を切り欠かれ切り欠き部６２を備えている。検出手段５５は、Ｕ字状に形成されて２つの突出部６１，６１を備えて形成されており、突出部６１、６１を、円筒状に形成された被検出体５７のそれぞれ内周面と外周面に対して向かい合わせにするように位置決めされて配置されている。検出手段５５は、２つの突出部６１、６１が互いに直接対面した場合に検出信号を発する。駆動機構２９においては、アーム駆動ギア４２の回転に伴って被検出体５７が回転し、アーム駆動ギア４２の回転角度が所定の角度となった場合に、被検出体５７の切り欠き部６２が、検出手段５５の突出部６１，６１の互いに向かい合う位置に、さしかかることとなる。そして、このとき、突出部６１，６１同士が直接対面することとなり、検出信号が発せられる。こうして、アーム駆動ギア４２の回転角度が所定角度となる場合に、検出手段５５が検出信号を発することができることになり、アーム駆動ギア４２の回転角度が検出される。
【００３６】
（カバー部材６３）
可動装飾装置１８には、図９、図１２に示すように、可動体２７の少なくとも一部を覆うカバー部材６３が取り付けベース２４に取り付けられていることが好ましい。なお、図９、図１２では、カバー部材６３が取り付けベース２４のベースケーシング片２５に取り付けられている例を示す。
【００３７】
カバー部材６３は、可動体２７を被覆する領域に応じて適宜形状に形成された蓋面部６４と蓋面部６４の周囲に沿った所定範囲に側面部６５を形成しており、側面部６５の一部に側面切り欠き部６６を形成している。カバー部材６３は、側面部６５の先端を取り付けベース２４のベースケーシング片２５側に向かい合わせにしつつ、蓋面部６４とベースケーシング片２５の間にアーム３０を位置させるようにベースケーシング片２５の前方側から配置固定される。このとき、カバー部材６３は、可動体２７の被支持部３５を覆うように配置されており、側面切り欠き部６６から、アーム３０の先端側の所定部分が外方側に伸び出ている。なお、側面切り欠き部６６は、可動装飾装置１８の正面視上、切り欠き端６７の位置がアーム３０の揺動範囲から外れた位置となるように形成されて、アーム３０の揺動範囲を制限しないような形状とされていることが好ましい。可動装飾装置１８に、カバー部材６３が取り付けられていることで、可動体２７が揺動する際に、がたつきを生じる虞が効果的に抑制される。
【００３８】
（可動体２７）
可動体２７は、図４から図６、図９等に示すように、アーム３０と装飾体６８とを備えて回転軸Ａｘを軸として回転揺動可能に構成される。
【００３９】
（アーム３０）
可動体２７においては、図４、図９等に示すように、アーム３０は、アーム本体６９を備えており、アーム本体６９において回転軸Ａｘを形成する位置に被支持部３５を形成している。被支持部３５は、取り付けベース２４の支持軸部３１に嵌合可能な形状に形成されており、アーム本体６９の被支持部３５が取り付けベース２４の支持軸部３１に嵌め合わされることで、アーム３０が取り付けベース２４に対して回転揺動可能に軸支される。なお、アーム３０の回転をスムーズにする点で、被支持部３５と支持軸部３１との間にリング部材７０が設置されてもよい。
【００４０】
アーム本体６９の形状は、適宜選択可能であり、回転軸Ａｘから回転半径方向にまっすぐに伸びていてもよいし、図４等の例のように途中で前後上下方向に適宜折れ曲がっていてもよいし湾曲していてもよい。また、アーム本体６９は、左右方向に適宜折れ曲がっていてもよいし湾曲していてもよい。アーム本体６９は、表面に意匠を施されてもよく、光透過性を有するとともに内部に空間部を形成してその空間部に発光体を適宜搭載していてもよい。
【００４１】
図１４Ａ、図１４Ｂに示すように、アーム６９が空間部７２を有するような場合に、空間部７２には、装飾体６８に取り付けられる後述の基板８２に電気的に接続される配線７３が通されていてもよい。この場合、アーム本体６９における被支持部３５側により近い所定位置に開口７１を形成しておき、配線７３がその開口７１からアーム本体６９外側に引き出されていることが、可動体２７が回転軸Ａｘを軸として回転揺動しても遊技時にこれらの配線７３が遊技者に認識されてしまう虞を抑制することができる観点から好ましい。また、同じ観点から、取り付けベース２４のベースケーシング片２５の所定位置に配線係止爪７４，７４が形成されるとともに、アーム本体６９外側に取り出された配線７３が配線係止爪７４，７４で係止されていることが、更に好ましい。なお、図１４Ａでは説明の便宜上、前ケーシング片２６、カバー部材６３等の記載を省略しており、図１４Ｂでは、図１４Ａと同じく説明の便宜上、可動装飾装置１８のうち装飾体６８の主要部を抜き出し、他を省略して記載している。
【００４２】
さて、アーム本体６９の所定位置には、所定形状の係合片４７が設けられており、さらに、後述の弾性部材４１の一方端を固定するための係止突起３７が設けられている。係止突起３７の数は、弾性部材４１の設置数に応じて適宜設定可能であるが、図９等の例では、２つ設置されている。また、係止突起３７が複数設けられている場合、係止突起３７の設置パターンは、適宜設定可能であり、例えば、アーム３０の伸びる方向に沿って間隔をあけつつ並んで配置されているパターンであってもよい。
【００４３】
アーム３０において、係止突起３７は、図９に示すように、前後方向に見て、その係止突起３７とベースケーシング片２５の後ケーシング片３３と間にアーム本体６９が位置するような位置に形成されていることが好ましい。このように係止突起３７が形成されていると、アーム３０が後ケーシング片３３から離れる方向（前方向）に前後方向にずれようとした場合にも、係止突起３７で固定される弾性部材４１の復元力で、アーム３０が弾性部材４１側から後ケーシング片３３側に向かって押し戻されやすくなり、アーム３０がベースケーシング片２５から脱離する虞が抑制される。
【００４４】
アーム３０の係止突起３７と取り付けベース２４の係止突起３６との位置関係については、図６Ａに示すように、係止突起３７と係止突起３６と回転軸Ａｘとが一直線上に並ぶことを避けた位置関係となっている。すなわち、アーム３０が収納位置と進出位置の範囲間で変位しても、アーム３０の係止突起３７からアーム３０の回転軸Ａｘに向かう方向Ｅ１と、アーム３０の係止突起３７から取り付けベース２４の係止突起３６に向かう方向Ｅ２とのなす角度ψが０度超過且つ１８０度未満の範囲の値として存在している状態が維持されているように、係止突起３６、３７の位置関係が決められている。なお、角度ψについては、０度超過且つ９０度未満の範囲であると、後述のように弾性部材４１を斜めに設けた状態を維持することがより確実に実現できることとなって、弾性部材４１の復元力でアーム３０の位置を効率的に収納位置から進出位置に向かって回転変位させたときに、弾性部材４１が遊技者に視認されにくくなる点で好ましい。
【００４５】
（係合片４７）
係合片４７は、図５、図９等に示すように、アーム３０の被支持部３５からアーム３０の先端７５側に向かって被支持部３５からやや離れた所定位置にあってアーム本体６９と後ケーシング片３３との間に位置するように、アーム本体６９上に形成されており、さらに被係合片４６に係合解除可能な位置に形成されている。
【００４６】
係合片４７と被係合片４６との係合状態は、図５，図６，図８等に示すように、係合片４７と被係合片４６との当接により形成され（図５Ｂ、図６Ｂ）、係合片４７と被係合片４６との係合状態の解除は、係合片４７と被係合片４６との当接状態の解除により形成される（図５Ａ、図６Ａ）。なお、係合片４７と被係合片４６との係合状態が形成された後、係合状態が解除されるまでの間については、被係合片４６は、係合片４７の側面に当接しながら摺れ動く（例えば、図５Ｃ、図６Ｃ）。このとき、図８に示すように係合片４７の側面のうち、被係合片４６により摺られる面が当接側側面７６をなす。被係合片４６が１回周回軌道を移動する間に係合片４７と被係合片４６との係合解除が、１セット行われる。図８は、図５Ｃの領域Ｘの部分を拡大した状態を模式的に示す図面であり、アーム３０とアーム駆動ギア４２の位置関係を示す図面である。また、図８では、便宜上、アーム駆動ギア４２を除く駆動ユニット２８を構成する各構成、中ケーシング片３４等の記載を省略している。
【００４７】
係合片４７は、図８に示すように、アーム３０の回転揺動に伴って係合片４７の当接側側面７６の通過する空間（図８において斜線で示す揺動空間Ｍｓ）が駆動機構２９のアーム駆動ギア４２の回転（回転方向ＲＧ）に伴って被係合片４６の通過する環状の空間（図８において横縞線で示す回動空間Ｒｓ）に対して交差するように、位置決めされ、また、その形状を定められる。より具体的には、係合片４７の位置決めがなされるとともに係合片４７の形状が次の条件を満たすように定められる。
【００４８】
第１の条件は、アーム３０の揺動角度（θ（度））が０（ゼロ）からθｍａｘの範囲で変化するに伴って、当接側側面７６の位置のうちアーム駆動ギア４２の回転軸Ｇｘに近い方の端（近位端７７）位置（近位端位置）が回動空間Ｒｓにおける内側境界面Ｒｓｉと外側境界面Ｒｓｏの間を横切るような軌道（軌道Ｍ１）を描くことである。なお、アーム３０の揺動角度（θ（度））とアーム３０の位置について、アーム３０が収納位置にある場合のアーム３０の揺動角度が０（ゼロ）であるものとし、アーム３０が進出方向に向かうに従ってθの値が大きくなり、アーム３０が進出位置にある場合のアーム３０の揺動角度がθｍａｘであるものとする。なお、図８中、矢印Ｄは、アーム３０の回転軸Ａｘからアーム３０の先端７５側に向かう方向を示し、回転半径方向になっている。
【００４９】
第２の条件は、当接側側面７６の位置のうちアーム駆動ギア４２の回転軸Ｇｘに遠い方の端（遠位端７８）位置（遠位端位置）が、アーム３０の揺動角度のいかんにかかわらず、回動空間Ｒｓにおける内側境界面Ｒｓｉよりも外側（アーム駆動ギア４２の回転半径方向に沿って外側）にあるような軌道を描くことであり、好適には、外側境界面Ｒｓｏ上又はその外側にあるような軌道（軌道Ｍ２）を描くことである。
【００５０】
係合片４７の形状に関して、アーム駆動ギア４２の回転に伴って被係合片４６が、係合片４７に当接しながら滑らかに摺れ動くためには、係合片４７の当接側側面７６が緩やかな凹曲面を形成していることが好ましい。
【００５１】
アーム３０の回転半径方向に沿った外側の先端７５側の所定位置には、装飾体６８が装着されている。
【００５２】
（装飾体６８）
装飾体６８は、特に限定されるものではなく、例えば、図４、図９、図１１に示すように、装飾ベース部材７９に対して回転可能に軸支された回転装飾部材８０を備えるとともに前記アーム３０の先端７５に装着されて構成されてよい。この場合、回転装飾部材８０は、前面側に意匠を施され内部に空間を形成した回転装飾部材本体８１を備えるとともに、その空間内に、発光体を設けた基板８２を収納されて構成されている。回転装飾部材本体８１は、前面側に意匠を施された装飾面側ケーシング片８９と装飾面側ケーシング片８９の後方側に取り付けられる装飾ベースケーシング片９０を備えており、装飾面側ケーシング片８９と装飾ベースケーシング片９０の間に空間を形成しており、この空間に基板８２が収納される。装飾ベース部材７９は、回転装飾部材８０を回転させる装飾体駆動機構８３を搭載した装飾ベース本体７９を備えている。装飾体駆動機構８３は、モーターとギアを適宜組み合わせ、さらに必要に応じてカムや嵌合片などモーターの回転力を伝達する回転伝達片を組み合わせて構成可能である。たとえば、装飾体駆動機構８３は、モーターで生じた回転力を受けてスピン（自転）（スピン方向を矢印Ｓｐとする）する回転伝達片８４が回転装飾部材８０の回転中心となる位置に向けて装飾ベース本体７９前面側に突設された構成を備えてよい。この場合、回転装飾部材本体８１の後面側に回転伝達片８４に嵌合する形状に形成された取付孔８５が形成されており、取付孔８５に回転伝達片８４が接続されることで、回転装飾部材８０が装飾ベース部材７９に取付孔８５の中心を回転中心として矢印Ｓｐ方向に回転可能に軸支される。
【００５３】
なお、装飾体６８において、基板８２への通電は、例えば次のように実現できる。導電性金属など導電性を有する導電材料を用いて回転伝達片８４から装飾ベース本体７９の裏面側に向けて通電可能とする導電部（図示しない）を形成し、導電部に対して基板８２及び配線７３を電気的に接続すればよい。
【００５４】
（可動体２７の回転揺動とその範囲）
可動装飾装置１８においては、可動体２７の少なくとも一部が、進出位置と収納位置との間で支持軸周りに回転揺動運動をする。ここに、支持軸周りに回転揺動運動をするとは、可動装飾装置１８が、支持軸をなす支持軸部３１周りに、回転軸Ａｘを軸としつつ、遊技板１０の面方向に、回転揺動運動をすることを示す。さらに具体的には、可動装飾装置１８が、可動体２７を構成するアーム３０が進出位置と収納位置との間を、支持軸部３１周りに回転軸Ａｘを軸として回転揺動運動することを示す。なお、回転軸Ａｘは、取り付けベース２４に対する可動体２７の支持軸となる支持軸部３１の中心に一致しており、支持軸心となっている。このとき、アーム３０に取り付けられた装飾体６８についてもアーム３０の回転に伴ってアーム３０と一緒に回転軸Ａｘを軸として回転揺動運動することが、装飾体６８自体が回転することによる遊技の演出をより多様化させることを効果的に実現できて好ましい。
【００５５】
（進出位置と収納位置）
ここで、進出位置は、遊技領域Ｐ内側に適宜選択された所定位置に定められる可動体２７の位置であるが、具体的に、図７に示すように、可動体２７のうち少なくとも装飾体６８を遊技盤３前面側から視認可能とする所定位置に定められることが好適であり、装飾体６８の中央が遊技盤３の開口部９のほぼ中央に位置するような所定位置に定められることがより好適である。また、収納位置は、上記した進出位置よりも遊技領域Ｐ外方向の所定位置に定められる可動体２７の位置である。通常、収納位置は、遊技盤３の正面視上、可動装飾装置１８のアーム３０と装飾体６８が遊技板１０の裏側に隠れるような位置に定められる。具体的には、図１０に示すように、装飾体６８がセンター役物２０の枠部材２２の開口２１の下側に位置する下枠部９１側に収納されて、遊技盤３の開口部９の下方に位置するような所定位置に、収納位置を定めることができる。
【００５６】
このように、進出位置と収納位置が定められることで、可動体２７が収納位置にある場合には、可動体２７が遊技板１０の裏側に隠れて遊技者に可動体２７が視認されにくく、可動体２７が進出位置にある場合には、遊技者に可動体２７の装飾体６８が容易に視認されるようになり、装飾体６８を用いて遊技者にインパクトのある遊技の演出を適宜行うことがより容易となる。
【００５７】
なお、図７に示すような視認可能な位置に可動体２７が存在する場合における可動装飾装置１８の状態は、図５Ａ、図６Ａに示す状態に対応する。可動体２７が遊技板１０の裏側に隠れるような位置に存在する場合における可動装飾装置１８の状態は、図５Ｃ、図６Ｃに示す状態に対応する。すなわち、可動装飾装置１８は、可動体２７を進出位置と収納位置のいずれにも位置させるようにすることを具体的に実現可能に構成されており、上記したようなインパクトのある遊技の演出を行うことがより容易なものである。
【００５８】
（弾性部材４１）
可動装飾装置１８には、弾性部材４１が、弾性部材４１の一方端８６側を可動体２７の所定位置に固定されるとともに弾性部材４１の他方端８７側を取り付けベース２４の所定位置に固定されている。具体的には、図４，図６，図９等に示すように、弾性部材４１は、一方端８６側を、アーム３０の係止突起３７に係止され、他方端８７側を、取り付けベース２４の係止突起３６に係止されている。なお、弾性部材４１は、このような係止突起３６，３７に対して接着固定されていてもよいし、係止突起３６，３７を軸として回転揺動可能に係止固定されていてもよい。なお、アーム３０の係止突起３７は、アーム本体６９の先端７５とその先端７５よりもアーム本体６９の被軸支端側に位置する被支持部３５との間の所定位置に設けられていることから、弾性部材４１については、その弾性部材４１の一方端８６側をアーム３０の支持端とアーム３０の先端の間の所定位置に固定されることとなる。
【００５９】
弾性部材４１は、伸縮可能なものであればゴム材やバネ材などを適宜選択可能であるが、伸縮運動の繰り返し実施によっても一定の伸縮性を高度に維持しうる点と、高い復元力を得ることが容易である点で、図４，図６，図９等に示すようなコイルバネが好適に用いられる。コイルバネは、金属製ワイヤ等を適宜螺旋巻きした構造で高い弾性力を有するように構成することが容易なものであり、高い復元力を得ることが容易なものである。
【００６０】
弾性部材４１は、図５Ｃ、図６Ｃに示すようなアーム３０が収納位置にある場合のみならず、図５Ａ，６Ａに示すようなアーム３０が進出位置にある場合にあっても、伸びを有し且つ復元力を有する状態となる程度の自然長であることが好ましい。この場合、アーム３０が収納位置から進出位置まで進出する間、弾性部材４１の縮み力の作用を継続することが容易となることから、アーム３０を収納位置から進出位置まで勢いよく進出させることが容易となる。
【００６１】
弾性部材４１がコイルバネである場合、図４，図６，図９等に示すように、その長手方向を遊技盤３面の上下方向に対して斜めに向けて固定されていることが、アーム３０の揺動回転運動のスムーズな実現を維持しつつもコイルバネをできるだけ遊技者に視認されにくい位置に配置しやすくなって、好ましい。
【００６２】
（弾性部材４１の設置数等）
可動装飾装置１８において、弾性部材４１の数は、特に限定されず、１つであってもよいし、３以上であってもよく、図６，１２等に示すように２つでもよい。なお、図６，図９等に示す例においては、弾性部材４１として、第１の弾性部材４１ａと第２の弾性部材４１ｂが設けられている。
【００６３】
弾性部材４１がコイルバネである場合において弾性部材４１が複数設けられている場合、図６、図９等に示すように、複数の弾性部材４１がその長手方向に互いに交差することを避けつつ取り付けられていることが、弾性部材４１同士の衝突に伴う弾性部材４１の損傷を抑制する点で、好ましい。また、これらの弾性部材４１が、一方端８６を、アーム３０における同一の係止突起３７に固定されていてもよいが、アーム３０におけるそれぞれ異なる係止突起３７に固定されていることが、弾性部材４１同士の衝突を抑制できる点で好ましい。このことは、取り付けベース２４の係止突起３６に対する弾性部材４１の他方端８７側についての固定に関しても同様である。
【００６４】
また、更に、弾性部材４１がコイルバネである場合において弾性部材４１が複数設けられている場合についてみるに、係合片４７と被係合片４６とが係合した場合に、複数の弾性部材４１がいずれも伸びた状態とされ、且つ、その状態において、複数の弾性部材４１は、弾性部材４１の伸び量（Ｗ）を巻き数（Ｊ）で除して得られる１巻き当りのコイルバネの伸び量（Ｔ＝Ｗ／Ｊ）の値を互いに揃えていることが好ましい。ここで、１巻き当りのコイルバネの伸び量の値を互いに揃えているとは、複数の弾性部材４１相互における１巻き当りのコイルバネの伸び量の差が１０％以内にあることを示すものとする。例えば、図４、図６、図１２等に示す弾性部材４１（第１の弾性部材４１ａ、第２の弾性部材４１ｂ）についてみると、第１の弾性部材４１ａについてのＴの値をＴ１とし、第２の弾性部材４１ｂについてのＴの値をＴ２とした場合に、コイルバネの伸び量の値を互いに揃えているときには、Ｔ２をＴ１で除して得られた値（Ｔ２／Ｔ１）が０．９以上１．１以下の範囲におさまっていることとなる。
【００６５】
弾性部材４１がコイルバネであり、弾性部材４１が複数設けられ、且つ、これら複数の弾性部材４１が長手方向を遊技盤３面の上下方向に対して斜めに向けて固定されている場合においては、複数の弾性部材４１は、自然長を互いに異にしているとともに、自然長の短い弾性部材４１ほど、可動体２７における弾性部材４１の一方端８６側の固定位置が、可動体２７の支持軸部３１の中心に位置する回転軸Ａｘに近い位置となっている、ことが好ましい。なお、自然長は、弾性部材を伸縮させないときの長さを示す。
【００６６】
ところで、アーム３０の回転軸Ａｘに対して近い位置にある係止突起３７ａは、アーム３０の回転軸Ａｘに対して遠い位置にある係止突起３７ｂよりも、アーム３０の回転揺動運動時に変位する距離（変位距離）が小さくなりやすく、変位距離にばらつきを生じることがありうる。係止突起の変位距離がばらつくときには、そこに固定される弾性部材４１の伸び量がばらつきを生じることがありうる。この点、図４，図６，図９等に示すような第１の弾性部材４１ａと第２の弾性部材４１ｂが設けられている場合についてみるに、第１の弾性部材４１ａと第２の弾性部材４１ｂをなすコイルバネは、その自然長を互いに異にしており、第１の弾性部材４１ａのほうが、第２の弾性部材４１ｂよりも自然長が短い。また、第１の弾性部材４１ａが、その一方端８６側を、アーム３０の係止突起３７のうちアーム３０の回転軸Ａｘに近いほうの係止突起３７ａに固定されている。すなわち、自然長の短い第１の弾性部材４１ａが、アーム３０の回転軸Ａｘに対して近い位置にある係止突起３７ａに固定され、自然長の長い第２の弾性部材４１ｂが、アーム３０の回転軸Ａｘに対して遠い位置にある係止突起３７ｂに固定されている。すると、第１の弾性部材４１ａと第２の弾性部材４１ｂの自然長の差が変位距離のばらつき発生の虞を効率的に抑制し、第１の弾性部材４１ａと第２の弾性部材４１ｂの伸び量のばらつき発生の虞を効果的に抑制することなる。
【００６７】
（可動装飾装置１８の駆動とこれに伴う効果）
可動装飾装置１８においては、図５、図６等を用いて上記に説明したように可動体２７のアーム３０が、進出位置と収納位置との間で回転軸Ａｘを軸として、回転揺動運動し、アーム３０に取り付けられた装飾体６８についてもアーム３０と一緒に回転軸Ａｘを軸として回転揺動運動する。この回転揺動運動は、駆動機構２９と弾性部材４１の動作で実現される。すなわち、図５Ａ，図６Ａに示すように、可動体２７が進出位置にあるとき、駆動機構２９を構成するギアであるアーム駆動ギア４２が回転し、やがて図５Ｂ，図６Ｂに示すように、係合片４７と被係合片４６とが係合した状態が形成される。さらにアーム駆動ギア４２の回転が進むと、被係合片４６が係合片４７を押圧するとともに当接側側面７６面上を摺り動き、可動体２７が進出位置よりも収納位置側へと変位する。可動体２７が進出位置よりも収納位置側へと変位する間、コイルバネ等の弾性部材４１（第１の弾性部材４１ａ及び第２の弾性部材４１ｂ）は、伸びた状態とされるとともに、弾性部材４１の復元力が増大し、すなわち弾性部材４１の縮み方向への付勢力が増大している。さらに、アーム駆動ギア４２の回転が進むと、図５Ｃ、図６Ｃに示すように、可動体２７が収納位置に移動する。このように可動体２７が収納位置に到達したとき、弾性部材４１が最も伸びた状態とされ、その縮み方向への付勢力が最も増大している。そして、アーム駆動ギア４２の回転がさらに進むと、被係合片４６が係合片４７を押圧しながら当接側側面７６面上を更に摺り動き、やがて被係合片４６は係合片４７の当接側側面７６面から外れる位置まで移動し、この位置を越えるまで被係合片４６が回動したことを契機として、係合片４７と被係合片４６との係合が解除される。このとき、弾性部材４１が縮むとともに、図５Ａ、図６Ａに示すように、可動体２７が収納位置から進出位置まで回転軸Ａｘを軸として回転揺動する。
【００６８】
このように、可動体２７の動きは、弾性部材４１の伸縮と、係合片４７と被係合片４６との係合解除の制御で実現される。このような係合解除については、駆動ユニット２８のギアの回転を制御して被係合片４６の回動を制御することで係合片４７と被係合片４６との係合及び解除のタイミングを制御することができる。また、ギアの回転に応じて係合片４７と被係合片４６との係合が解除された場合に、弾性部材４１の強い復元力を受けて可動体２７が収納位置から遊技者に視認可能な進出位置まで回転軸Ａｘを軸として速やかに回転する。つまり、ギアの回転速度を制御して、必要に応じて速やかに可動体２７を遊技者に視認可能な位置に進出させることができるのである。このように、上記に説明したように構成された可動装飾装置１８を備える遊技機１によれば、必要に応じてより速やかに進出位置まで動くことの可能な可動体２７を有するものを得ることができるようになる。
【符号の説明】
【００６９】
１・・・遊技機、３・・・遊技盤、４・・・前枠、５・・・上球皿、６・・・下球皿、７・・・打球発射装置、９・・・開口部、１０・・・遊技板、１１・・・案内レール、１２・・・普通入賞装置、１３・・・障害釘、１４・・・前面装飾部材、１５・・・始動入賞装置、１６・・・開閉板、１７・・・アタッカー装置、１８・・・可動装飾装置、１９・・・図柄表示装置、１９ａ・・・画面、２０・・・センター役物、２１・・・センター役物の開口、２２・・・枠部材、２３ａ，２３ｂ，２３ｃ・・・飾り部材、２４・・・取り付けベース、２５・・・ベースケーシング片、２６・・・前ケーシング片、２７・・・可動体、２８・・・駆動ユニット、２９・・・駆動機構、３０・・・アーム、３１・・・支持軸部、３２・・・ギア収納部、３３・・・後ケーシング片、３４・・・中ケーシング片、３５・・・被支持部、３６・・・ベースケーシング片の係止突起、３７・・・アームの係止突起、３８・・・第１伝達ギア、３９・・・第２伝達ギア、４０・・・モーター、４１，４１ａ，４１ｂ・・・弾性部材、４２・・・アーム駆動ギア、４３・・・アーム駆動ギア支持部、４４・・・第１伝達ギア支持部、４５・・・通孔、４６・・・被係合片、４７・・・係合片、４８・・・ギア部、４９・・・フランジ部、５０・・・ギア孔、５１・・・固定材、５２・・・規制壁、５３・・・規制部、５４・・・緩衝部材、５５・・・検出手段、５６・・・被検出部、５７・・・被検出体、５８・・・開口、５９・・・検出ベース、６０・・・検出ユニット、６１・・・突出部、６２・・・切り欠き部、６３・・・カバー部材、６４・・・蓋面部、６５・・・側面部、６６・・・側面切り欠き部、６７・・・切り欠き端、６８・・・装飾体、６９・・・アーム本体、７０・・・リング部材、７１・・・開口、７２・・・空間部、７３・・・配線、７４・・・配線係止爪、７５・・・アームの先端、７６・・・当接側側面、７７・・・近位端、７８・・・遠位端、７９・・・装飾ベース部材、８０・・・回転装飾部材、８１・・・回転装飾部材本体、８２・・・基板、８３・・・装飾体駆動機構、８４・・・回転伝達片、８５・・・取付孔、８６・・・弾性部材の一方端、８７・・・弾性部材の他方端、８８ａ，８８ｂ，８８ｃ・・・発光回路基板、８９・・・装飾面側ケーシング片、９０・・・装飾ベースケーシング片、９１・・・下枠部
【図１】
0005810028.tif 000002
【図２】
0005810028.tif 000003
【図３】
0005810028.tif 000004
【図４】
0005810028.tif 000005
【図５】
0005810028.tif 000006
【図６】
0005810028.tif 000007
【図７】
0005810028.tif 000008
【図８】
0005810028.tif 000009
【図９】
0005810028.tif 000010
【図１０】
0005810028.tif 000011
【図１１】
0005810028.tif 000012
【図１２】
0005810028.tif 000013
【図１３】
0005810028.tif 000014
【図１４】
0005810028.tif 000015